(57)【要約】【課題】  ディスプレイの安定した保持状態を確保した上で小型化を図る。【解決手段】  表示面に画像が表示されるディスプレイと、ディスプレイの外周部を表示面側から押さえるベゼルと、ディスプレイにおける表示面の反対の面側に配置されディスプレイを表示面の反対側から押さえるバックシャーシと、少なくともバックシャーシに取り付けられたパネルブラケットとを備え、パネルブラケットがベゼルの外周より内側に位置された。【選択図】図１２
2016033526.tif 000002
【特許請求の範囲】
【請求項１】
表示面に画像が表示されるディスプレイと、
前記ディスプレイの外周部を前記表示面側から押さえるベゼルと、
前記ディスプレイにおける前記表示面の反対の面側に配置され前記ディスプレイを前記表示面の反対側から押さえるバックシャーシと、
少なくとも前記バックシャーシに取り付けられたパネルブラケットとを備え、
前記パネルブラケットが前記ベゼルの外周より内側に位置された
表示装置。
【請求項２】
少なくとも一部が前記ディスプレイの外周面の外側に配置され前記ベゼルに取り付けられたベゼルブラケットが設けられ、
前記ベゼルブラケットに前記パネルブラケットが取り付けられた
請求項１に記載の表示装置。
【請求項３】
前記ベゼルブラケットの外面側に、前記パネルブラケットに取り付けられるリアフレームが配置された
請求項２に記載の表示装置。
【請求項４】
前記ディスプレイを表示制御する制御基板が前記バックシャーシの背面側に配置され、
前記ディスプレイと前記制御基板が複数の接続基板によって接続され、
前記複数の接続基板が前記バックシャーシの外周部及び前記ディスプレイの外周部を回り込み前記ディスプレイの周方向に並んだ状態で配置され、
前記パネルブラケットが前記接続基板間に位置された
請求項１に記載の表示装置。
【請求項５】
前記ベゼルブラケットが前記ベゼルに接着によって取り付けられた
請求項２に記載の表示装置。
【請求項６】
前記バックシャーシの背面側に外周部の一部が挿入部として設けられた平板状のリアプレートが配置され、
前記リアフレームに取付溝が形成され、
前記リアプレートは弾性変形されて前記挿入部が前記取付溝に挿入され弾性復帰されて前記リアフレームに取り付けられた
請求項３に記載の表示装置。
【請求項７】
前記バックシャーシの背面側に外周部の一部が挿入部として設けられた平板状のサイドプレートが配置され、
前記サイドプレートは挿入部が前記取付溝に挿入されて前記リアフレームに取り付けられた
請求項３に記載の表示装置。
【請求項８】
前記リアプレートに他の部分より厚みが薄くされた接面部が設けられ、
前記サイドプレートに他の部分より厚みが薄くされた接面部が設けられ、
前記リアプレートの接面部と前記サイドプレートの接面部とが厚み方向において重ねられた状態で前記リアプレートと前記サイドプレートが前記リアフレームに取り付けられた
請求項７に記載の表示装置。
【発明の詳細な説明】
【技術分野】
【０００１】
本技術は表示装置についての技術分野に関する。詳しくは、ディスプレイとバックシャーシを有する薄型の表示装置についての技術分野に関する。
【先行技術文献】
【特許文献】
【０００２】
【特許文献１】特開２００７−３３４２４４号公報
【背景技術】
【０００３】
テレビジョン受像器やパーソナルコンピューター等の表示装置には、画像が表示される表示面を有するディスプレイが設けられ、ディスプレイの背面側にバックシャーシが配置され、ディスプレイが枠状のベゼル（ベゼルユニット）に外周側から保持されたものがある（例えば、特許文献１参照）。
【０００４】
特許文献１に記載された表示装置にあっては、ディスプレイを外周側から保持するベゼルが前後方向を向く板状に形成され、ベゼルの後面がディスプレイの外周部に押し付けられ、ディスプレイの後面側にバックシャーシが配置されて構成されている。
【発明の概要】
【発明が解決しようとする課題】
【０００５】
特許文献１に記載されたような表示装置にあっては、ベゼルとバックシャーシの間に配置されるディスプレイを保持する保持構造が必要とされ、このような保持構造としては、例えば、ベゼルとバックシャーシをディスプレイの外周側において連結しディスプレイがベゼルとバックシャーシによって前後から挟まれるようにしたものがある。ディスプレイがベゼルとバックシャーシによって前後から挟まれることにより、ディスプレイが安定した状態で保持される。
【０００６】
ところが、上記のようなディスプレイがベゼルとバックシャーシによって前後から挟まれることにより保持される表示装置においては、ベゼルとバックシャーシを連結する連結構造がディスプレイの外周面の外側に位置されるため、連結構造が外側へ突出された状態にされると表示装置が大型になり、表示装置の小型化に支障を来たしてしまう。
【０００７】
そこで、本技術表示装置は、上記した問題を解決し、ディスプレイの安定した保持状態を確保した上で小型化を図ることを課題とする。
【課題を解決するための手段】
【０００８】
第１に、表示装置は、上記した課題を解決するために、表示面に画像が表示されるディスプレイと、前記ディスプレイの外周部を前記表示面側から押さえるベゼルと、前記ディスプレイにおける前記表示面の反対の面側に配置され前記ディスプレイを前記表示面の反対側から押さえるバックシャーシと、少なくとも前記バックシャーシに取り付けられたパネルブラケットとを備え、前記パネルブラケットが前記ベゼルの外周より内側に位置されたものである。
【０００９】
従って、表示装置にあっては、パネルブラケットがベゼルの外周より外側に突出されない。
【００１０】
第２に、上記した表示装置においては、少なくとも一部が前記ディスプレイの外周面の外側に配置され前記ベゼルに取り付けられたベゼルブラケットが設けられ、前記ベゼルブラケットに前記パネルブラケットが取り付けられることが望ましい。
【００１１】
少なくとも一部がディスプレイの外周面の外側に配置されベゼルに取り付けられたベゼルブラケットが設けられ、ベゼルブラケットにパネルブラケットが取り付けられることにより、ディスプレイがベゼルブラケットに外周面の外側から覆われる。
【００１２】
第３に、上記した表示装置においては、前記ベゼルブラケットの外面側に、前記パネルブラケットに取り付けられるリアフレームが配置されることが望ましい。
【００１３】
ベゼルブラケットの外面側に、パネルブラケットに取り付けられるリアフレームが配置されることにより、リアフレームによって表示装置の剛性が高くなる。
【００１４】
第４に、上記した表示装置においては、前記ディスプレイを表示制御する制御基板が前記バックシャーシの背面側に配置され、前記ディスプレイと前記制御基板が複数の接続基板によって接続され、前記複数の接続基板が前記バックシャーシの外周部及び前記ディスプレイの外周部を回り込み前記ディスプレイの周方向に並んだ状態で配置され、前記パネルブラケットが前記接続基板間に位置されることが望ましい。
【００１５】
複数の接続基板がバックシャーシの外周部及びディスプレイの外周部を回り込みディスプレイの周方向に並んだ状態で配置され、パネルブラケットが接続基板間に位置されることにより、パネルブラケットの配置スペースの有効活用が図られる。
【００１６】
第５に、上記した表示装置においては、前記ベゼルブラケットが前記ベゼルに接着によって取り付けられることが望ましい。
【００１７】
ベゼルブラケットがベゼルに接着によって取り付けられることにより、ベゼルにベゼルブラケットを取り付けるためのネジ等の取付用の部品や取付構造が不要になる。
【００１８】
第６に、上記した表示装置においては、前記バックシャーシの背面側に外周部の一部が挿入部として設けられた平板状のリアプレートが配置され、前記リアフレームに取付溝が形成され、前記リアプレートは弾性変形されて前記挿入部が前記取付溝に挿入され弾性復帰されて前記リアフレームに取り付けられることが望ましい。
【００１９】
バックシャーシの背面側に外周部の一部が挿入部として設けられた平板状のリアプレートが配置され、リアフレームに取付溝が形成され、リアプレートは弾性変形されて挿入部が取付溝に挿入され弾性復帰されてリアフレームに取り付けられることにより、挿入部がそれぞれ取付溝に挿入されてリアプレートがリアフレームに取り付けられる。
【００２０】
第７に、上記した表示装置においては、前記バックシャーシの背面側に外周部の一部が挿入部として設けられた平板状のサイドプレートが配置され、前記サイドプレートは挿入部が前記取付溝に挿入されて前記リアフレームに取り付けられることが望ましい。
【００２１】
バックシャーシの背面側に外周部の一部が挿入部として設けられた平板状のサイドプレートが配置され、サイドプレートは挿入部が取付溝に挿入されてリアフレームに取り付けられることにより、挿入部がそれぞれ取付溝に挿入されてサイドプレートがリアフレームに取り付けられる。
【００２２】
第８に、上記した表示装置においては、前記リアプレートに他の部分より厚みが薄くされた接面部が設けられ、前記サイドプレートに他の部分より厚みが薄くされた接面部が設けられ、前記リアプレートの接面部と前記サイドプレートの接面部とが厚み方向において重ねられた状態で前記リアプレートと前記サイドプレートが前記リアフレームに取り付けられることが望ましい。
【００２３】
リアプレートの接面部とサイドプレートの接面部とが厚み方向において重ねられた状態でリアプレートとサイドプレートがリアフレームに取り付けられることにより、リアプレートとサイドプレートの結合部分の剛性が高くされる。
【発明の効果】
【００２４】
本技術表示装置は、表示面に画像が表示されるディスプレイと、前記ディスプレイの外周部を前記表示面側から押さえるベゼルと、前記ディスプレイにおける前記表示面の反対の面側に配置され前記ディスプレイを前記表示面の反対側から押さえるバックシャーシと、少なくとも前記バックシャーシに取り付けられたパネルブラケットとを備え、前記パネルブラケットが前記ベゼルの外周より内側に位置されている。
【００２５】
従って、ベゼルとバックシャーシを連結する連結構造として機能するパネルブラケットがディスプレイの外周より外側に存在しないため、ディスプレイの安定した保持状態を確保した上で小型化を図ることができる。
【００２６】
請求項２に記載した技術にあっては、少なくとも一部が前記ディスプレイの外周面の外側に配置され前記ベゼルに取り付けられたベゼルブラケットが設けられ、前記ベゼルブラケットに前記パネルブラケットが取り付けられている。
【００２７】
従って、ディスプレイをベゼルブラケットによって保護することができる。
【００２８】
請求項３に記載した技術にあっては、前記ベゼルブラケットの外面側に、前記パネルブラケットに取り付けられるリアフレームが配置されている。
【００２９】
従って、表示装置の全体の剛性を高くすることができる。
【００３０】
請求項４に記載した技術にあっては、前記ディスプレイを表示制御する制御基板が前記バックシャーシの背面側に配置され、前記ディスプレイと前記制御基板が複数の接続基板によって接続され、前記複数の接続基板が前記バックシャーシの外周部及び前記ディスプレイの外周部を回り込み前記ディスプレイの周方向に並んだ状態で配置され、前記パネルブラケットが前記接続基板間に位置されている。
【００３１】
従って、パネルブラケットの配置スペースの有効活用が図られ、表示装置の小型化を図ることができる。
【００３２】
請求項５に記載した技術にあっては、前記ベゼルブラケットが前記ベゼルに接着によって取り付けられている。
【００３３】
従って、ベゼルにベゼルブラケットを取り付けるためのネジ等の取付用の部品や取付構造が不要であり、表示装置の薄型化及び構造の簡素化を図ることができる。
【００３４】
請求項６に記載した技術にあっては、前記バックシャーシの背面側に外周部の一部が挿入部として設けられた平板状のリアプレートが配置され、前記リアフレームに取付溝が形成され、前記リアプレートは弾性変形されて前記挿入部が前記取付溝に挿入され弾性復帰されて前記リアフレームに取り付けられている。
【００３５】
従って、リアプレートのリアフレームに対する取付作業を容易に行うことができると共に取付ネジが不要になり部品点数の削減及び作業時間の短縮化を図ることができる。
【００３６】
請求項７に記載した技術にあっては、前記バックシャーシの背面側に外周部の一部が挿入部として設けられた平板状のサイドプレートが配置され、前記サイドプレートは挿入部が前記取付溝に挿入されて前記リアフレームに取り付けられている。
【００３７】
従って、サイドプレートのリアフレームに対する取付作業を容易に行うことができると共に取付ネジが不要になり部品点数の削減及び作業時間の短縮化を図ることができる。
【００３８】
請求項８に記載した技術にあっては、前記リアプレートに他の部分より厚みが薄くされた接面部が設けられ、前記サイドプレートに他の部分より厚みが薄くされた接面部が設けられ、前記リアプレートの接面部と前記サイドプレートの接面部とが厚み方向において重ねられた状態で前記リアプレートと前記サイドプレートが前記リアフレームに取り付けられている。
【００３９】
従って、表示装置の剛性の低下を来すことなく薄型化を図ることができる。
【図面の簡単な説明】
【００４０】
【図１】図２乃至図２６と共に本技術表示装置を示すものであり、本図は、表示装置の斜視図である。
【図２】表示装置の概略分解斜視図である。
【図３】表示装置の上端側を示す断面図である。
【図４】バックシャーシの斜視図である。
【図５】制御基板と接続基板の配置状態を示す背面図である。
【図６】ベゼルブラケット、パネルブラケット及びリアフレームを示す拡大分解斜視図である。
【図７】ベゼルにベゼルブラケットが取り付けられた状態を示す斜視図である。
【図８】ベゼルブラケットと結合用板金とパネルブラケットを示す分解斜視図である。
【図９】パネルブラケットの拡大斜視図である。
【図１０】図９とは異なる方向から見た状態で示すパネルブラケットの拡大斜視図である。
【図１１】パネルブラケットの拡大断面図である。
【図１２】ベゼルにベゼルブラケットが取り付けられパネルブラケットがベゼルブラケットとバックシャーシに取り付けられた状態を示す斜視図である。
【図１３】パネルブラケットにカバーフレームが取り付けられる状態を示す斜視図である。
【図１４】パネルブラケットにリアフレームが取り付けられた状態を示す斜視図である。
【図１５】パネルブラケットにリアフレームが取り付けられた状態を図１４とは異なる方向から見た状態で示す斜視図である。
【図１６】リアパネルとサイドパネルを示す分解斜視図である。
【図１７】サイドパネルの斜視図である。
【図１８】リアパネルとサイドパネルが１枚の材料から形成されることをを示す概念図である。
【図１９】図２０乃至図２４と共にリアパネルとサイドパネルがリアフレームに取り付けられる手順を示すものであり、本図は、リアパネルが弾性変形された状態を示す斜視図である。
【図２０】リアパネルの挿入部がリアフレームの取付溝に挿入された状態を示す斜視図である。
【図２１】リアパネルがリアフレームに対してスライドされて上側の挿入部が取付溝に挿入された状態を示す斜視図である。
【図２２】リアパネルがリアフレームに取り付けられた状態を示す断面図である。
【図２３】サイドパネルの挿入部がリアフレームの取付溝に挿入された状態を示す斜視図である。
【図２４】リアパネルの接面部にサイドパネルの接面部が重ねられた状態を示す拡大断面図である。
【図２５】リアカバーがバックシャーシに取り付けられる状態を示す斜視図である。
【図２６】ベゼル等の別の構造を示す斜視図である。
【発明を実施するための形態】
【００４１】
以下に、本技術表示装置を実施するための形態を添付図面に従って説明する。
【００４２】
以下に示した実施の形態は、本技術表示装置を、ディスプレイに画像を表示するテレビジョン受像器に適用したものである。
【００４３】
尚、本技術の適用範囲はテレビジョン受像器に限られることはなく、パーソナルコンピューター等に用いられるモニター等の各種の表示装置に広く適用することができる。
【００４４】
［表示装置の構成］
表示装置（テレビジョン受像器）１は、例えば、横長の扁平な略矩形状に形成され、画像が表示されるディスプレイ（表示パネル）２とディスプレイ２を前側から保持するベゼル３とディスプレイ２を後側から保持するバックシャーシ４とを有している（図１乃至図３参照）。
【００４５】
ディスプレイ２は前後方向を向く板状に形成され、前後で接合されたガラス板２ａ、２ｂを有している（図３参照）。ディスプレイ２としては、例えば、自発光型の有機エレクトロルミネセンス（Organic Electro Luminescence）パネルが用いられている。また、ディスプレイ２は、例えば、フルハイビジョンの４倍の画素数を有し、所謂４Ｋと称されるテレビジョン受像器に用いられるものである。
【００４６】
ディスプレイ２は前面のうち外周部を除く領域が、画像が表示される表示面２ｃとされている。
【００４７】
ディスプレイ２の後面には、外周部を除いた部分にグラファイトシート５が貼付されている。グラファイトシート５によりディスプレイ２の温度の均一化が図られ、ディスプレイ２による良好な画像の表示が可能とされている。
【００４８】
ベゼル３は前後方向を向く板状の材料、例えば、ＳＵＳ（ステンレス鋼）によって矩形の枠状に形成されている。ベゼル３は、外形がディスプレイ２の外形より大きくされ、内形がディスプレイ２の外形より小さくされている。ベゼル３の表面は酸化発色処理が行われ、鏡面に形成されている。ベゼル３の表面が鏡面に形成されることにより見栄えの向上を図ることができる。
【００４９】
ベゼル３の後面における内周部には粘着テープ６、６、・・・が貼着され、粘着テープ６、６、・・・によってディスプレイ２の外周部がベゼル３に取り付けられ、ディスプレイ２がベゼル３に保持されている。
【００５０】
バックシャーシ４は、例えば、ガラスや金属板等によって矩形の平板状に形成されている。バックシャーシ４は外形がディスプレイ２の外形と略同じに形成されている。バックシャーシ４の後面における外周部には位置決めピン４ａ、４ａ、・・・と第１のネジ穴４ｂ、４ｂ、・・・がそれぞれ周方向に離隔して設けられている（図４参照）。バックシャーシ４の後面における外周寄りの位置には第２のネジ穴４ｃ、４ｃ、・・・がそれぞれ周方向に離隔して設けられている。
【００５１】
バックシャーシ４とディスプレイ２の間にはスペーサー７が配置され、スペーサー７を介してバックシャーシ４がディスプレイ２に押し付けられてディスプレイ２がバックシャーシ４に保持されている（図３参照）。
【００５２】
バックシャーシ４の後面における外周寄りの部分には保護シート８、８、・・・が貼付されている。保護シート８、８、・・・は左右方向又は上下方向に延びる形状に形成されている。
【００５３】
バックシャーシ４の後面側には制御基板９、９、・・・が配置され、制御基板９、９、・・・はそれぞれ保護シート８、８、・・・の後側に位置されている。制御基板９、９、・・・はディスプレイ２に表示される画像を制御する基板であり、例えば、上下に位置する制御基板９、９、・・・がそれぞれソース基板であり、左右に位置する制御基板９、９、・・・がそれぞれゲート基板である。制御基板９、９、・・・は保護シート８、８、・・・より一回り小さくされている。制御基板９には挿通用孔９ａ、９ａ、・・・が長手方向に離隔して形成されている。
【００５４】
制御基板９は接続基板１０、１０、・・・によってディスプレイ２に接続されている（図３及び図５参照）。接続基板１０は高い屈曲性を有し、チップオンフィルム（ＣＯＦ）と称される接続用の基板である。接続基板１０は、一端部が制御基板９に接続され、他端部がディスプレイ２における外周部の前面に接続され、中間部が屈曲されてバックシャーシ４の外周部及びディスプレイ２の外周部を回り込む状態で配置されている。接続基板１０、１０、・・・はバックシャーシ４の背面側に位置された図示しない回路部に接続されている。
【００５５】
接続基板１０、１０、・・・は上下又は左右に並び、所定の位置において間隔が他の間隔より広くされた状態で配置されている。
【００５６】
ベゼル３の後面における外周部にはベゼルブラケット１１、１１、・・・が取り付けられている（図２、図３、図６、図７及び図８参照）。ベゼルブラケット１１は上下方向又は左右方向を向き左右方向又は上下方向に延びる覆い部１２と覆い部１２の前端部から外方へ突出された被取付部１３とが金属材料によって一体に形成されて成る。
【００５７】
覆い部１２には他の部分より内側に位置された締結部１４、１４、・・・が長手方向に離隔して設けられ、締結部１４、１４、・・・にはネジ挿通孔１４ａ、１４ａ、・・・が形成されている。覆い部１２の長手方向における両端部にはそれぞれ結合用孔１２ａ、１２ａが形成されている。覆い部１２には外方へ打出状に突出された係合部１２ｂ、１２ｂ、・・・が長手方向に離隔して設けられている。
【００５８】
ベゼルブラケット１１、１１、・・・は被取付部１３、１３、・・・が、例えば、接着によってベゼル３の外周部に取り付けられている。
【００５９】
このようにベゼルブラケット１１が接着によってベゼル３に取り付けられることにより、ベゼル３にベゼルブラケット１１を取り付けるためのネジ等の取付用の部品や取付構造が不要であり、表示装置１の薄型化及び構造の簡素化を図ることができる。
【００６０】
ベゼルブラケット１１、１１、・・・はそれぞれ結合用板金１５、１５、・・・によって結合されている。結合用板金１５は一方向に延びる略平板状の金属材料が長手方向における中央部において９０°折り曲げられて形成され、長手方向における両端寄りの位置に外方へ突出された結合用ピン１５ａ、１５ａを有している。
【００６１】
結合用板金１５の結合用ピン１５ａ、１５ａはそれぞれ隣り合うベゼルブラケット１１、１１の結合用孔１２ａ、１２ａに内側から嵌合される。結合用ピン１５ａ、１５ａが結合用孔１２ａ、１２ａに嵌合されることにより、隣り合うベゼルブラケット１１、１１が結合用板金１５によって結合される。
【００６２】
バックシャーシ４はパネルブラケット１６、１６、・・・によってベゼルブラケット１１、１１、・・・に結合されている。パネルブラケット１６、１６、・・・は、接続基板１０、１０、・・・の間隔のうち他の間隔より広くされた各位置にそれぞれ配置されている。
【００６３】
上記のように、ディスプレイ２と制御基板９は、バックシャーシ４の外周部及びディスプレイ２の外周部を回り込む状態で配置された接続基板１０、１０、・・・によって接続され、パネルブラケット１６、１６、・・・が接続基板１０、１０、・・・間に位置されているため、パネルブラケット１６、１６、・・・の配置スペースの有効活用が図られ、表示装置１の小型化を図ることができる。
【００６４】
パネルブラケット１６はブロック状に形成された第１の結合部１７と第１の結合部１７に連続する第２の結合部１８とが金属材料等によって一体に形成されて成る（図９乃至図１１参照）。
【００６５】
第１の結合部１７にはそれぞれ前後に貫通されたネジ孔１７ａと位置決め孔１７ｂと螺孔１７ｃが形成されている。
【００６６】
第２の結合部１８は第１の結合部１７の前面より前方に位置された突部１９を有している。第２の結合部１８には外方に開口された螺穴１８ａが形成されている。突部１９には前端部から外方へ突出された係合突片１９ａが設けられている。
【００６７】
パネルブラケット１６は第１の結合部１７の前面がバックシャーシ４の外周部における後面に接し、第２の結合部１８がバックシャーシ４の外側に位置され、突部１９の一部がバックシャーシ４の外周面に接した状態にされる。パネルブラケット１６の位置決め孔１７ｂにはバックシャーシ４の位置決めピン４ａが挿入されてパネルブラケット１６のバックシャーシ４に対する位置決めが行われる。また、突部１９の係合突片１９ａがベゼルブラケット１１の締結部１４の前縁に係合され、パネルブラケット１６がベゼルブラケット１１に対して位置決めされる。
【００６８】
パネルブラケット１６のネジ孔１７ａには第１の取付ネジ１００が挿通され、第１の取付ネジ１００がバックシャーシ４の第１のネジ穴４ｂに螺合されてパネルブラケット１６がバックシャーシ４に取り付けられる（図１２参照）。
【００６９】
ベゼルブラケット１１の締結部１４に形成された挿通孔１４ａには第２の取付ネジ２００が挿通され、第２の取付ネジ２００がパネルブラケット１６の螺穴１８ａに螺合されてパネルブラケット１６がベゼルブラケット１１に取り付けられる。
【００７０】
上記のように、パネルブラケット１６、１６、・・・がバックシャーシ４とベゼルブラケット１１、１１、・・・に取り付けられることにより、バックシャーシ４がパネルブラケット１６、１６、・・・によってベゼルブラケット１１、１１、・・・に結合される。
【００７１】
パネルブラケット１６がバックシャーシ４とベゼルブラケット１１、１１、・・・に取り付けられることにより、ベゼル３とバックシャーシ４によってディスプレイ２が前後方向において挟持され、ディスプレイ２のベゼル３とバックシャーシ４の間における安定した配置状態が確保される。
【００７２】
バックシャーシ４の後面側には制御基板９を後方から覆うカバーフレーム２０、２０、・・・が配置される（図２、図３及び図１３参照）。カバーフレーム２０にはネジ孔２０ａ、２０ａ、・・・が長手方向に離隔して形成されている。
【００７３】
カバーフレーム２０はネジ孔２０ａ、２０ａ、・・・と制御基板９の挿通用孔９ａ、９ａ、・・・とを順に挿通された第３の取付ネジ３００、３００、・・・がそれぞれ第２のネジ穴４ｃ、４ｃ、・・・に螺合されることによりバックシャーシ４に取り付けられる。制御基板９、９、・・・はカバーフレーム２０、２０、・・・がそれぞれバックシャーシ４に取り付けられることにより、カバーフレーム２０、２０、・・・によって後方から覆われる。
【００７４】
パネルブラケット１６、１６、・・・にはリアフレーム２１、２１、・・・が取り付けられ、リアフレーム２１、２１、・・・がベゼルブラケット１１、１１、・・・の外周側にそれぞれ配置される（図２、図３、図１４及び図１５参照）。リアフレーム２１は略前後方向を向くベース面部２２とベース面部２２の外側の端部から略前方へ突出された側面部２３とが金属材料等によって一体に形成されて成る。
【００７５】
ベース面部２２には内方に開口された取付溝２２ａが形成されている。ベース面部２２は取付溝２２ａより内側の部分２２ｂが外側の部分２２ｃより前側に位置されている。ベース面部２２には部分２２ｂに取付用挿通孔２２ｄ、２２ｄ、・・・が長手方向に離隔して形成されている。
【００７６】
側面部２３には内方へ突出された係合突部２３ａ、２３ａ、・・・が長手方向に離隔して設けられている。
【００７７】
リアフレーム２１は係合突部２３ａ、２３ａ、・・・がそれぞれベゼルブラケット１１の係合部１２ｂ、１２ｂ、・・・に前側から係合され、ベゼルブラケット１１に取り付けられる。リアフレーム２１の取付用挿通孔２２ｄ、２２ｄ、・・・にはそれぞれ第４の取付ネジ４００、４００、・・・が挿通され、第４の取付ネジ４００、４００、・・・がそれぞれパネルブラケット１６、１６、・・・の螺孔１７ｃ、１７ｃ、・・・に螺合されてリアフレーム２１がパネルブラケット１６、１６、・・・に取り付けられる。
【００７８】
リアフレーム２１、２１、・・・がパネルブラケット１６、１６、・・・に取り付けられた状態においては、側面部２３、２３、・・・の前端面がベゼル３の外周部における後面に突き当てられ、パネルブラケット１６、１６、・・・がベース面部２２、２２、・・・によって後方から閉塞され、ベゼルブラケット１１、１１、・・・が側面部２３、２３、・・・によって外方から閉塞される。
【００７９】
リアフレーム２１、２１、・・・にはリアプレート２４が取り付けられる（図２及び図３参照）。リアプレート２４は、図２及び図１６に示すように、横長の矩形状に形成されたベース面部２５とベース面部２５の左右両端部からそれぞれ下方へ突出された突面部２６、２６とが金属材料によって一体に形成されて成る。
【００８０】
リアプレート２４は上端部及び左右両端部が挿入部２４ａ、２４ａ、２４ａとして設けられている。挿入部２４ａは他の部分の厚みの略半分の厚みに形成され、この他の部分の前側の略半分の部分から外方へ突出されるように設けられている。
【００８１】
突面部２６、２６の下端部は接面部２６ａ、２６ａとして設けられている。接面部２６ａは他の部分の厚みの略半分の厚みに形成され、この他の部分の前側の略半分の部分から下方へ突出されるように設けられている。
【００８２】
リアプレート２４にはベース面部２５の下端部と突面部２６、２６の内側の端部とにそれぞれ挿通用孔２４ｂ、２４ｂ、・・・が形成されている。
【００８３】
左右に位置されたリアフレーム２１、２１にはサイドプレート２７、２７が取り付けられる。サイドプレート２７はリアプレート２４と同じ金属材料によって縦長の矩形状に形成されている（図１６及び図１７参照）。
【００８４】
サイドプレート２７の外側の側部は挿入部２７ａとして設けられている。挿入部２７ａは他の部分の厚みの略半分の厚みに形成され、この他の部分の前側の略半分の部分から側方へ突出されるように設けられている。
【００８５】
サイドプレート２７の上端部は接面部２７ｂとして設けられている。接面部２７ｂは他の部分の厚みの略半分の厚みに形成され、この他の部分の後側の略半分の部分から上方へ突出されるように設けられている。
【００８６】
サイドプレート２７の内側の側部には挿通用孔２７ｃ、２７ｃ、・・・が形成されている。
【００８７】
尚、上記のように、リアプレート１４はベース面部２５と突面部２６、２６によって門型に形成されており、サイドプレート２７、２７と同一の材料によって形成される。即ち、図１８に示すように、例えば、１枚の矩形の板状の材料からリアプレート２４が切り出され、この材料のうちの突面部２６、２６の間の部分の一部がそれぞれ切り出されてサイドプレート２７、２７が形成される。
【００８８】
従って、リアプレート２４とサイドプレート２７、２７が同一の材料を有効に使用して形成され、加工の無駄が少なくなり、表示装置１の製造コストの低減を図ることができる。
【００８９】
［リアプレートとサイドプレートの取付］
以下に、リアプレート２４とサイドプレート２７、２７の取付の手順について説明する（図１９乃至図２４参照）。
【００９０】
リアプレート２４は、先ず、左右方向における中間部が後方へ撓められるようにして弾性変形される（図１９参照）。
【００９１】
次に、リアプレート２４は弾性変形された状態で左右に位置する挿入部２４ａ、２４ａが左右に位置するリアフレーム２１、２１の取付溝２２ａ、２２ａに挿入されて弾性復帰される（図２０参照）。
【００９２】
続いて、リアプレート２４は上方へスライドされ、上側に位置する挿入部２４ａが上側に位置するリアフレーム２１の取付溝２２ａに挿入される（図２１参照）。
【００９３】
このように挿入部２４ａ、２４ａ、２４ａがそれぞれ取付溝２２ａ、２２ａ、２２ａに挿入されることにより、リアプレート２４がリアフレーム２１、２１、２１に取り付けられる。リアプレート２４がリアフレーム２１、２１、２１に取り付けられた状態においては、リアプレート２４の後面とリアフレーム２１、２１、２１の後面とが同一平面上に位置される（図２２参照）。
【００９４】
上記のように、リアプレート２４は弾性変形されて挿入部２４ａ、２４ａ、２４ａがそれぞれ取付溝２２ａ、２２ａ、２２ａに挿入され弾性復帰されてリアフレーム２１に取り付けられる。
【００９５】
従って、リアプレート２４のリアフレーム２１、２１、２１に対する取付作業を容易に行うことができると共に取付ネジが不要になり部品点数の削減及び作業時間の短縮化を図ることができる。
【００９６】
サイドプレート２７、２７は挿入部２７ａ、２７ａがそれぞれ左右に位置するリアフレーム２１、２１の取付溝２２ａ、２２ａに挿入されることによりリアフレーム２１、２１に取り付けられる（図２３参照）。このときサイドプレート２７、２７はそれぞれ接面部２７ｂ、２７ｂがリアプレート２４の接面部２６ａ、２６ａに後方から重ねられ、リアプレート２４の後面とサイドプレート２７、２７の後面とが同一平面上に位置される（図２４参照）。
【００９７】
このように、リアプレート２４の接面部２６ａ、２６ａとサイドプレート２７、２７の接面部２７ｂ、２７ｂとがそれぞれ重ねられてリアプレート２４とサイドプレート２７、２７が配置されるため、表示装置１の剛性の低下を来すことなく薄型化を図ることができる。
【００９８】
サイドプレート２７、２７がリアフレーム２１、２１に取り付けられた状態においては、サイドプレート２７、２７の後面とリアフレーム２１、２１の後面とが同一平面上に位置される。
【００９９】
上記したように、サイドプレート２７、２７の挿入部２７ａ、２７ａが取付溝２２ａ、２２ａに挿入されてリアフレーム２１に取り付けられるため、サイドプレート２７、２７のリアフレーム２１、２１に対する取付作業を容易に行うことができると共に取付ネジが不要になり部品点数の削減及び作業時間の短縮化を図ることができる。
【０１００】
上記のようにしてリアプレート２４とサイドプレート２７、２７がリアフレーム２１、２１、２１に取り付けられた状態において、後方からリアカバー２８がバックシャーシ４に取り付けられる（図２及び図２５参照）。リアカバー２８は前方に開口された浅い箱状に形成され、リアカバー２８の内部には図示しない制御回路基板が配置されている。
【０１０１】
リアカバー２８がバックシャーシ４に取り付けられるときには、制御回路基板が図示しないコネクターによって回路部に接続される。従って、制御回路基板からコネクター及び回路部を介して制御基板９、９、・・・に電流や信号が供給され、ディスプレイ２に対する表示制御が行われる。
【０１０２】
リアカバー２８には外周部にネジ挿通孔２８ａ、２８ａ、・・・が周方向に離隔して形成されている。リアカバー２８は外周部がリアプレート２４の一部とサイドプレート２７、２７の一部とに重ねられた状態で配置される。リアカバー２８は、ネジ挿通孔２８ａ、２８ａ、・・・に挿通された第５の取付ネジ５００、５００、・・・がリアプレート２４とサイドプレート２７、２７の挿通用孔２４ｂ、２４ｂ、・・・、２７ｃ、２７ｃ、・・・にそれぞれ挿通されバックシャーシ４に螺合されることによりリアプレート２４とサイドプレート２７、２７とともにバックシャーシ４に取り付けられる。
【０１０３】
バックシャーシ４の下端部にはスタンド２９が取り付けられている（図１参照）。スタンド２９によって表示装置１の机上等に対する安定した設置状態が確保される。
【０１０４】
［他の構造］
上記には、ベゼル３に取り付けられたベゼルブラケット１１にパネルブラケット１６が取り付けられる例を示したが、図２６に示すように、ベゼル３に代えてベゼル３Ａを用い、ベゼル３Ａを前後方向を向く枠状部３０と枠状部３０の外周部から後方へ突出された側部３１とによって構成し、側部３１をディスプレイ２の外周面の外側に配置し、側部３１にパネルブラケット１６、１６、・・・を取り付け、ベゼルブラケット１１を設けない構成にすることが可能である。
【０１０５】
このような構成にすることにより、部品点数の削減を図ることができる。
【０１０６】
［まとめ］
以上に記載した通り、表示装置１にあっては、ディスプレイ２の外周部を表示面２ｃ側から押さえるベゼル３と、ディスプレイ２を表示面２ｃの反対側から押さえるバックシャーシ４と、少なくともバックシャーシ４に取り付けられたパネルブラケット１６、１６、・・・とを設け、パネルブラケット１６、１６、・・・がベゼル３の外周より内側に位置されている。
【０１０７】
従って、ベゼル３とバックシャーシ４を連結する連結構造として機能するパネルブラケット１６、１６、・・・がディスプレイ２の外周より外側に存在しないため、ディスプレイ２の安定した保持状態を確保した上で小型化を図ることができる。
【０１０８】
また、ディスプレイ２の外周より外側に、ベゼル３に取り付けられたベゼルブラケット１１、１１、・・・が配置され、ベゼルブラケット１１、１１、・・・にパネルブラケット１６、１６、・・・が取り付けられているため、ディスプレイ２をベゼルブラケット１１、１１、・・・によって保護することができる。
【０１０９】
さらに、ベゼルブラケット１１、１１、・・・の外面側に、パネルブラケット１６、１６、・・・に取り付けられたリアフレーム２１、２１、・・・が配置されているため、表示装置１の全体の剛性を高くすることができる。
【０１１０】
［本技術］
本技術は、以下のような構成にすることもできる。
【０１１１】
（１）
表示面に画像が表示されるディスプレイと、
前記ディスプレイの外周部を前記表示面側から押さえるベゼルと、
前記ディスプレイにおける前記表示面の反対の面側に配置され前記ディスプレイを前記表示面の反対側から押さえるバックシャーシと、
少なくとも前記バックシャーシに取り付けられたパネルブラケットとを備え、
前記パネルブラケットが前記ベゼルの外周より内側に位置された
表示装置。
【０１１２】
（２）
前記ディスプレイの外周面の外側に配置され前記ベゼルに取り付けられたベゼルブラケットが設けられ、
前記ベゼルブラケットに前記パネルブラケットが取り付けられた
前記（１）に記載の表示装置。
【０１１３】
（３）
前記ベゼルブラケットの外面側に、前記パネルブラケットに取り付けられるリアフレームが配置された
前記（２）に記載の表示装置。
【０１１４】
（４）
前記ディスプレイを表示制御する制御基板が前記バックシャーシの背面側に配置され、
前記ディスプレイと前記制御基板が複数の接続基板によって接続され、
前記複数の接続基板が前記バックシャーシの外周部及び前記ディスプレイの外周部を回り込み前記ディスプレイの周方向に並んだ状態で配置され、
前記パネルブラケットが前記接続基板間に位置された
前記（１）から前記（３）の何れかに記載の表示装置。
【０１１５】
（５）
前記ベゼルブラケットが前記ベゼルに接着によって取り付けられた
前記（２）から前記（４）の何れかに記載の表示装置。
【０１１６】
（６）
前記バックシャーシの背面側に外周部の一部が挿入部として設けられた平板状のリアプレートが配置され、
前記リアフレームに取付溝が形成され、
前記リアプレートは弾性変形されて前記挿入部が前記取付溝に挿入され弾性復帰されて前記リアフレームに取り付けられた
前記（３）から前記（５）の何れかに記載の表示装置。
【０１１７】
（７）
前記バックシャーシの背面側に外周部の一部が挿入部として設けられた平板状のサイドプレートが配置され、
前記サイドプレートは挿入部が前記取付溝に挿入されて前記リアフレームに取り付けられた
前記（３）から前記（６）の何れかに記載の表示装置。
【０１１８】
（８）
前記リアプレートに他の部分より厚みが薄くされた接面部が設けられ、
前記サイドプレートに他の部分より厚みが薄くされた接面部が設けられ、
前記リアプレートの接面部と前記サイドプレートの接面部とが厚み方向において重ねられた状態で前記リアプレートと前記サイドプレートが前記リアフレームに取り付けられた
前記（７）に記載の表示装置。
【０１１９】
上記した技術を実施するための実施の形態において示した各部の具体的な形状及び構造は、何れも本技術を実施する際の具体化のほんの一例を示したものにすぎず、これらによって本技術の技術的範囲が限定的に解釈されることがあってはならないものである。
【符号の説明】
【０１２０】
１…表示装置、２…ディスプレイ、２ｃ…表示面、３…ベゼル、４…バックシャーシ、９…制御基板、１０…接続基板、１１…ベゼルブラケット、１６…パネルブラケット、２１…リアフレーム、２２ａ…取付溝、２４…リアプレート、２４ａ…挿入部、２６ａ…接面部、２７…サイドプレート、２７ａ…挿入部、２７ｂ…接面部、３Ａ…ベゼル
【図１】
2016033526.tif 000003
【図２】
2016033526.tif 000004
【図３】
2016033526.tif 000005
【図４】
2016033526.tif 000006
【図５】
2016033526.tif 000007
【図６】
2016033526.tif 000008
【図７】
2016033526.tif 000009
【図８】
2016033526.tif 000010
【図９】
2016033526.tif 000011
【図１０】
2016033526.tif 000012
【図１１】
2016033526.tif 000013
【図１２】
2016033526.tif 000014
【図１３】
2016033526.tif 000015
【図１４】
2016033526.tif 000016
【図１５】
2016033526.tif 000017
【図１６】
2016033526.tif 000018
【図１７】
2016033526.tif 000019
【図１８】
2016033526.tif 000020
【図１９】
2016033526.tif 000021
【図２０】
2016033526.tif 000022
【図２１】
2016033526.tif 000023
【図２２】
2016033526.tif 000024
【図２３】
2016033526.tif 000025
【図２４】
2016033526.tif 000026
【図２５】
2016033526.tif 000027
【図２６】
2016033526.tif 000028